(57)【特許請求の範囲】
【請求項１】
複数のフェムト・セルによって取り囲まれている場合、マクロ・セルの検出および獲得が可能になるまで信号品質を改善するために、システム獲得中に干渉キャンセルを適用することを容易にする方法であって、
無線通信ネットワークにおける少なくとも１つの所望されないセルを検出することと、
前記少なくとも１つの所望されないセルによって送信された信号を推定することと、
前記推定された信号を、受信合計信号から引き去ることによって、クリーンな信号を生成することと、
前記クリーンな信号を用いて、前記無線通信ネットワークにおける所望のセルを獲得することと
を備え、
前記所望のセルはマクロ・セルであり、前記少なくとも１つの所望されないセルはフェムト・セルであり、
前記検出することと、前記推定することと、前記生成することと、前記獲得することとを、所望されないすべてのセルに対してなされるまで繰り返し、
前記所望のセルを獲得することは、同期信号、パイロット信号、または基準信号のうち少なくとも１つを求めて探索することを備える方法。
【請求項２】
前記少なくとも１つの所望されないセルおよび所望のセルからの送信を含む合計信号を受信することをさらに備える請求項１に記載の方法。
【請求項３】
前記少なくとも１つの所望されないセルを検出することは、前記少なくとも１つの所望されないセルによって利用されるスクランブリング符号を発見することを備える請求項１に記載の方法。
【請求項４】
前記信号を推定することは、前記少なくとも１つの所望されないセルのスクランブリング符号を適用して、前記信号を再構築することを備える請求項３に記載の方法。
【請求項５】
複数のフェムト・セルによって取り囲まれている場合、マクロ・セルの検出および獲得が可能になるまで信号品質を改善するための装置であって、
干渉する基地局によって送信された信号を識別する検出モジュールと、
前記干渉する基地局によって送信された信号の近似値を生成する推定モジュールと、
前記信号の近似値を、受信合計信号から引き去るキャンセル・モジュールと、
所望のセルからのサービスを獲得する獲得構成要素と
を備え、
前記獲得構成要素は、サービスを獲得するために、改善された信号を利用し、前記改善された信号は、前記キャンセル・モジュールによって、前記信号の近似値が引き去られた受信合計信号であり、
前記所望のセルはマクロ・セルであり、前記干渉する基地局は、前記装置が、関連するクローズされた加入者グループのメンバでないフェムト・セルであり、
前記検出モジュールによる識別と、前記推定モジュールによる生成と、前記キャンセル・モジュールによる引き去りとを、すべての干渉する基地局に対してなされるまで繰り返し、
前記獲得構成要素は、前記所望の基地局の基準信号、パイロット信号、または同期信号のうちの少なくとも１つを識別する装置。
【請求項６】
前記検出モジュールは、前記干渉する基地局のスクランブリング符号を識別する請求項５に記載の装置。
【請求項７】
前記推定モジュールは、前記スクランブリング符号を適用して、前記信号の近似値を生成する請求項６に記載の装置。
【請求項８】
前記獲得構成要素は、前記所望の基地局のブロードキャスト・チャネルを受信し復調する請求項５に記載の装置。
【請求項９】
複数のフェムト・セルによって取り囲まれている場合、マクロ・セルの検出および獲得が可能になるまで信号品質を改善するために、干渉キャンセルを実施する無線通信装置であって、
無線通信ネットワークにおける少なくとも１つの所望されないセルを検出する手段と、
前記少なくとも１つの所望されないセルによって送信された信号を推定する手段と、
前記推定された信号を、受信合計信号から引き去ることによって、クリーンな信号を生成する手段と、
前記クリーンな信号を用いて、前記無線通信ネットワークにおける所望のセルを獲得する手段と
を備え、
前記所望のセルはマクロ・セルであり、前記少なくとも１つの所望されないセルはフェムト・セルであり、
前記検出する手段によるセルの検出と、前記推定する手段による信号の推定と、前記生成する手段による信号の生成と、前記獲得する手段による所望のセルの獲得とを、所望されないすべてのセルに対してなされるまで繰り返し、
前記所望のセルを獲得する手段は、同期信号、パイロット信号、または基準信号のうちの少なくとも１つを求めて探索する手段を備える無線通信装置。
【請求項１０】
前記少なくとも１つの所望されないセルおよび所望のセルからの送信を含む合計信号を受信する手段をさらに備える請求項９に記載の無線通信装置。
【請求項１１】
前記少なくとも１つの所望されないセルを検出する手段は、前記少なくとも１つの所望されないセルによって利用されているスクランブリング符号を発見する手段を備える請求項９に記載の無線通信装置。
【請求項１２】
前記信号を推定する手段は、前記少なくとも１つの所望されないセルのスクランブリング符号を適用して、前記信号を再構築する手段を備える請求項１１に記載の無線通信装置。
【請求項１３】
複数のフェムト・セルによって取り囲まれている場合、マクロ・セルの検出および獲得が可能になるまで信号品質を改善するためのコード群を記録したコンピュータ読取可能な記録媒体であって、
前記コード群は、
少なくとも１つのコンピュータに対して、干渉する基地局によって送信された信号を識別させるためのコードと、
前記少なくとも１つのコンピュータに対して、前記干渉する基地局によって送信された信号の信号近似値を生成させるためのコードと、
前記少なくとも１つのコンピュータに対して、受信合計信号から、前記信号近似値をキャンセルさせるためのコードと、
前記少なくとも１つのコンピュータに対して、所望のセルからサービスを獲得させるためのコードと
を備え、
前記サービスを獲得させるためのコードは、サービスを獲得するために、前記少なくとも１つのコンピュータに対して、改善された信号を利用させ、
前記改善された信号は、前記信号の近似値が引き去られた受信合計信号であり、
前記所望のセルはマクロ・セルであり、前記干渉する基地局は、前記装置が、関連するクローズされた加入者グループのメンバでないフェムト・セルであり、
前記識別させるためのコードによる信号の識別と、前記生成させるためのコードによる信号近似値の生成と、前記キャンセルさせるためのコードによる前記近似信号値のキャンセルとは、干渉するすべての基地局に対してなされるまで繰り返され、
前記少なくとも１つのコンピュータに対して、前記所望する基地局の基準信号、パイロット信号、または同期信号のうちの少なくとも１つを識別させるためのコードをさらに備えるコンピュータ読取可能な記録媒体。
【請求項１４】
前記少なくとも１つのコンピュータに対して、前記干渉する基地局のスクランブリング符号を確認させるためのコードをさらに備える請求項１３に記載のコンピュータ読取可能な記録媒体。
【請求項１５】
前記少なくとも１つのコンピュータに対して、前記スクランブリング符号を適用して、前記信号近似値を生成させるためのコードをさらに備える請求項１４に記載のコンピュータ読取可能な記録媒体。
【請求項１６】
前記少なくとも１つのコンピュータに対して、前記所望の基地局のブロードキャスト・チャネルの受信および復調をさせるためのコードをさらに備える請求項１３に記載のコンピュータ読取可能な記録媒体。
【請求項１７】
複数のフェムト・セルによって取り囲まれている場合、マクロ・セルの検出および獲得が可能になるまで信号品質を改善するために、システム獲得中に干渉キャンセルを適用する無線通信装置であって、
無線通信ネットワークにおける少なくとも１つの所望されないセルを検出し、
前記少なくとも１つの所望されないセルによって送信された近似信号を再構築し、
受信合計信号から、前記近似信号を引き去ることによって、クリーンな信号を生成し、
前記クリーンな信号を用いて、前記無線通信ネットワークにおける所望のセルを獲得する
ように構成されたプロセッサを備え、
前記所望のセルはマクロ・セルであり、前記少なくとも１つの所望されないセルはフェムト・セルであり、
前記プロセッサはさらに、前記セルの検出と、前記近似信号の再構築と、前記クリーンな信号の生成と、前記所望のセルの獲得とを、所望されないすべてのセルに対してなされるまで繰り返すように構成され、
前記プロセッサはさらに、同期信号、パイロット信号、または基準信号のうちの少なくとも１つを求めて探索するように構成された無線通信装置。
【請求項１８】
前記プロセッサはさらに、前記少なくとも１つの所望されないセルおよび所望のセルからの送信を含む合計信号を受信するように構成された請求項１７に記載の無線通信装置。
【請求項１９】
前記プロセッサはさらに、前記少なくとも１つの所望されないセルによって利用されているスクランブリング符号を発見するように構成された請求項１７に記載の無線通信装置。
【請求項２０】
前記プロセッサはさらに、前記少なくとも１つの所望されないセルのスクランブリング符号を適用して、前記近似信号を再構築するように構成された請求項１９に記載の無線通信装置。
【発明の詳細な説明】
【関連出願に対する相互参照】
【０００１】
本願は、２００８年７月２日に出願され“ＳＹＳＴＥＭ  ＡＣＱＵＩＳＩＴＩＯＮ  ＷＩＴＨ  ＩＮＴＥＲＦＥＲＥＮＣＥ  ＣＡＮＣＥＬＬＡＴＩＯＮ  ＩＮ  ＴＨＥ  ＰＲＥＳＥＮＣＥ  ＯＦ  ＦＥＭＴＯＣＥＬＬＳ”と題された米国仮出願６１／０７７，５３８号の利益を主張する。上記出願の全体は、参照によって本明細書に組み込まれる。
【技術分野】
【０００２】
以下の記載は、一般に、無線通信に関し、さらに詳しくは、モバイル・デバイスが、１または複数のフェムト・セルの存在下においてセルを獲得するために、干渉キャンセル・メカニズムを提供することを可能にすることに関する。
【背景技術】
【０００３】
無線通信システムは、例えば音声およびデータのようなさまざまなタイプの通信コンテンツを提供するために広く開発された。一般的な無線通信システムは、（例えば、帯域幅、送信電力などのような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムなどを含む。さらに、これらシステムは、例えば第３世代パートナシップ計画（３ＧＰＰ）、３ＧＰＰ２、３ＧＰＰロング・ターム・イボリューション（ＬＴＥ）、ＬＴＥアドバンスト（ＬＴＥ−Ａ）等のような仕様に準拠しうる。
【０００４】
高レート・サービスおよびマルチメディア・データ・サービスに対する需要が急速に増大するとともに、増強されたパフォーマンスを備えた効率的かつロバストな通信システムの実現に向けた努力がなされている。例えば、近年、ユーザは、固定線通信をモバイル通信と置き換え、優れた音声品質、信頼できるサービス、および低価格をますます要求し始めた。
【０００５】
現在使用されているモバイル電話ネットワークに加えて、小さな基地局からなる新たなクラスが出現してきた。これらは、ユーザの住宅に設置され、既存のブロードバンド・インターネット接続を用いて、屋内無線通信範囲をモバイル・ユニットに提供する。そのような個人的な小型の基地局は、一般に、アクセス・ポイント基地局、あるいは、ホーム・ノードＢ（ＨＮＢ）またはフェムト・セルとして知られている。一般に、そのような小型の基地局は、デジタル加入者回線（ＤＳＬ）ルータ、ケーブル・モデム等を経由して、インターネットおよびモバイル・オペレータのネットワークに接続される。
【０００６】
無線通信システムは、システム内のそれぞれの場所のための有効通信範囲を提供する一連の無線アクセス・ポイントを含むように構成されうる。そのようなネットワーク構成は一般に、セルラ・ネットワーク構成と称され、ネットワーク内においてサービス提供するアクセル・ポイントおよび／またはその所在地は、一般にセルと称される。
【０００７】
信号強度は一般に、通信距離が長くなると減少するので、ネットワーク・ユーザは、さまざまな環境の下、ユーザから遠く離れて位置するセルに比べて、ユーザに物理的に近くに位置するセルとの間で、実質的に強い信号を交換しうる。しかしながら、さまざまな理由で、ユーザは、ユーザに最も近いセルを通って無線通信システムと通信することができない。例えば、ネットワーク内のそれぞれのセルの能力の違いにより、ユーザに最も近いセルは、ユーザに対して所望のサービスを提供することができないか、あるいは、遠くに離れているセルよりも低い品質でしかサービスを提供することができない。別の例として、ユーザに対して最も近いセルは、制限されたアクセスしか有しておらず、ユーザは、このセルに接続することが許可されていない。
【発明の概要】
【０００８】
以下は、１または複数の実施形態の基本的な理解を提供するために、そのような実施形態の簡単な概略を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【０００９】
態様によれば、システム獲得中に干渉キャンセルを適用することを容易にする方法が記載される。この方法は、無線通信ネットワークにおける少なくとも１つの所望されないセルを発見することを含みうる。この方法はまた、少なくとも１つの所望されないセルによって送信された信号を推定することを含みうる。さらに、この方法は、推定された信号を、受信合計信号から引き去ることによって、クリーンな信号を生成することを備えうる。さらに、この方法は、クリーンな信号を用いて、無線通信ネットワークにおける所望のセルを獲得することを含みうる。
【００１０】
本明細書で記載された第２の態様は、装置に関する。この装置は、干渉する基地局によって送信された信号を識別する検出モジュールを備えうる。この装置はまた、干渉する基地局によって送信された信号の近似値（approximation）を生成する推定モジュールを含みうる。さらに、この装置は、受信合計信号から、信号の近似値を引き去るキャンセル・モジュールを備えうる。
【００１１】
第３の態様は、干渉キャンセルを容易にする無線通信装置に関する。この無線通信装置は、無線通信ネットワークにおける少なくとも１つの所望されないセルを発見する手段を備えうる。この無線通信装置はさらに、少なくとも１つの所望されないセルによって送信された信号を推定する手段を含みうる。それに加えて、この無線通信装置は、推定された信号を、受信合計信号から引き去ることによって、クリーンな信号を生成する手段を備えうる。この無線通信装置はまた、クリーンな信号を用いて、無線通信ネットワークにおける所望のセルを獲得する手段を含みうる。
【００１２】
本明細書に記載された第４の態様は、少なくとも１つのコンピュータに対して、干渉する基地局によって送信された信号を識別させるためのコードを備えるコンピュータ読取可能媒体を備えるコンピュータ・プログラム製品に関する。このコンピュータ読取可能媒体はさらに、少なくとも１つのコンピュータに対して、干渉する基地局によって送信された信号の信号近似値を生成させるためのコードを含みうる。それに加えて、このコンピュータ読取可能媒体はさらに、少なくとも１つのコンピュータに対して、受信合計信号から、信号近似値をキャンセルさせるためのコードを含みうる。
【００１３】
第５の態様は、無線通信ネットワークにおける少なくとも１つの所望されないセルを発見するように構成されたプロセッサを備える無線通信装置に関する。このプロセッサはさらに、少なくとも１つの所望されないセルによって送信された近似信号を再構築するように構成されうる。加えて、このプロセッサは、受信合計信号から、近似信号を引き去ることによって、クリーンな信号を生成するように構成されうる。このプロセッサはさらに、クリーンな信号を用いて、無線通信ネットワークにおける所望のセルを獲得するように構成されうる。
【００１４】
前述した目的および関連する目的を達成するために、１または複数の実施形態は、後に十分に記載され、特許請求の範囲において特に指摘されている特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのような全ての局面およびそれらの均等物を示すことが意図されている。
【図面の簡単な説明】
【００１５】
【図１】図１は、本明細書に記載されたさまざまな態様にしたがう無線通信システムの実例である。
【図２】図２は、本明細書で述べられたさまざまな態様にしたがう無線通信システムを例示する。
【図３】図３は、さまざまな態様にしたがって、干渉するセルの存在下における基地局の獲得を容易にするシステムを例示する。
【図４】図４は、さまざまな態様にしたがって、基地局の獲得を可能にするために、受信した信号から干渉をキャンセルすることを容易にする無線通信システムを例示する。
【図５】図５は、さまざまな態様にしたがって干渉する基地局のキャンセルを容易にするシステムの実例である。
【図６】図６は、さまざまな態様にしたがって、干渉の存在下におけるセルの獲得を容易にする方法の実例である。
【図７】図７は、さまざまな態様にしたがって、所望されない強いセルからの信号のキャンセルを容易にする方法の実例である。
【図８】図８は、態様にしたがって、干渉キャンセルを可能にするシステムの実例である。
【図９】図９は、本明細書に記載された機能のさまざまな態様を実現するために利用されうる無線通信デバイスのブロック図である。
【図１０】図１０は、本明細書に記載された機能のさまざまな態様を実現するために利用されうる無線通信デバイスのブロック図である。
【図１１】図１１は、本明細書に記載されたさまざまな態様が機能しうる無線通信システムを例示するブロック図である。
【図１２】図１２は、ネットワーク環境内にアクセス・ポイント基地局を配置することを可能にする通信システムを例示する。
【発明を実施するための形態】
【００１６】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細無しで実現されうることが明からである。他の事例では、１または複数の実施形態の記載を容易にするために、周知の構成およびデバイスがブロック図形式で示される。
【００１７】
本願で使用されるように、用語「構成要素」、「モジュール」、「システム」等は、例えば、ハードウェア、ファームウェア、ハードウェアとソフトウェアとの組み合わせ、ソフトウェア、あるいは実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００１８】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、集積回路、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００１９】
さらに、さまざまな態様は、本明細書において、無線端末および／または基地局に関して記載される。無線端末は、ユーザに音声および／またはデータ接続を提供するデバイスを称しうる。無線端末は、例えばラップトップ・コンピュータまたはデスクトップ・コンピュータのようなコンピュータ・デバイスに接続されるか、あるいは、例えば携帯情報端末（ＰＤＡ）のような自己完結型デバイスでありえる。無線端末はまた、システム、加入者ユニット、加入者局、移動局、モバイル、遠隔局、アクセス・ポイント、遠隔端末、アクセス端末、ユーザ端末、ユーザ・エージェント、ユーザー・デバイス、あるいはユーザ機器（ＵＥ）とも称されうる。無線端末は、加入者局、無線デバイス、セルラ電話、ＰＣＳ電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、あるいは、無線モデムに接続されたその他の処理デバイスでありうる。基地局（例えばアクセス・ポイントあるいはノードＢ）は、１または複数のセクタを介して、オーバ・ザ・エアによって無線端末と通信するアクセス・ネットワーク内のデバイスを称しうる。基地局は、受信したエア・インタフェース・フレームをＩＰパケットに変換することによって、インターネット・プロトコル（ＩＰ）ネットワークを含みうるアクセス・ネットワークの無線端末とその他との間のルータとして動作することができる。基地局はまた、このエア・インタフェースのための属性管理をも調整する。
【００２０】
さらに、本明細書に記載のさまざまな機能は、ハードウェア、ソフトウェア、ファームウェア、あるいはこれらの組み合わせによって実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスすることが可能なあらゆる利用可能な媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、ディジタル多目的ディスク（ｄｉｓｃ）（ＤＶＤ）、フロッピ（登録商標）ディスク（ｄｉｓｋ）およびｂｌｕ−ｒａｙ（登録商標）ディスク（ｄｉｓｃ）（ＢＤ）を含んでいる。ここで、ｄｉｓｋは通常磁気的にデータを再生し、ｄｉｓｃは、レーザを用いてデータを光学的に再生する。上記の組み合わせもまた、コンピュータ読取可能媒体の範囲内に含まれるべきである。
【００２１】
本明細書に記載されたさまざまな技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ＣＤＭＡ２０００およびＵＭＢは、「第３世代パートナシップ計画２」（３ＧＰＰ２）からの文書に記載されている。さらに、そのような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２２】
多くのデバイス、構成要素、モジュール等を含みうるシステムの観点から、さまざまな態様が示されるだろう。さまざまなシステムが、追加のデバイス、構成要素、モジュール等を含みうるか、および／または、図面に関連して説明されたデバイス、構成要素、モジュール等の必ずしもすべてを含んでいる訳ではないことが理解され認識されるべきである。これらのアプローチの組み合わせもまた使用されうる。
【００２３】
図１に示すように、本明細書に記載されたさまざまな実施形態にしたがった無線通信システム１００が例示されている。システム１００は、多数のアンテナ・グループを含みうるｅＮＢ１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本より多いアンテナ、または２本より少ないアンテナも、各グループのために利用されうる。ｅＮＢ１０２はさらに、送信機チェーンおよび受信機チェーンを含みうる。それらおのおのは、当業者によって認識されるように、信号の送信および受信に関連付けられた複数の構成要素（例えば、プロセッサ、変調器、マルチプレクサ、復調器、デマルチプレクサ、アンテナ等）に関連付けられた複数の構成要素を備えうる。
【００２４】
ｅＮＢ１０２は、ＵＥ１１６およびＵＥ１２２のような１または複数のＵＥと通信することができる。しかしながら、ｅＮＢ１０２は、ＵＥ１１６、１２２に類似した実質的に任意の数のＵＥと通信しうる。ＵＥ１１６、１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００によって通信するその他任意の適切なデバイスでありうる。図示するように、ＵＥ１１６は、アンテナ１１２、１１４と通信し、アンテナ１１２、１１４は、ダウンリンク１１８によってＵＥ１１６に情報を送信し、アップリンク１２０によってＵＥ１１６から情報を受信する。さらに、ＵＥ１２２は、アンテナ１０４、１０６と通信し、アンテナ１０４、１０６は、ダウンリンク１２４によってＵＥ１２２に情報を送信し、アップリンク１２６によってＵＥ１２２から情報を受信する。周波数分割デュプレクス（ＦＤＤ）システムでは、例えば、ダウンリンク１１８は、アップリンク１２０によって使用されるものとは異なる周波数を利用し、ダウンリンク１２４は、アップリンク１２６によって適用されるものとは異なる周波数を適用する。さらに、時分割デュプレクス（ＴＤＤ）システムでは、ダウンリンク１１８およびアップリンク１２０が、共通の周波数帯域を利用し、ダウンリンク１２４およびアップリンク１２６は、共通の周波数帯域を利用しうる。
【００２５】
通信するように指定した領域および／またはアンテナからなるグループはおのおのの、ｅＮＢ１０２のセクタと称されうる。例えば、アンテナ・グループは、ｅＮＢ１０２によってカバーされた領域のセクタ内のＵＥと通信するように設計されうる。ダウンリンク１１８、１２４による通信では、ｅＮＢ１０２の送信アンテナは、ＵＥ１１６、１２２に向けられたダウンリンク１１８、１２４の信号対雑音比を改善するために、ビームフォーミングを利用しうる。さらに、ｅＮＢ１０２が、関連する有効通信範囲にわたってランダムに分布しているＵＥ１１６、１２２に送信するためにビームフォーミングを適用している間、近隣セルにおけるＵＥは、ｅＮＢが、すべてのＵＥに対して単一のアンテナで送信している場合と比べて、少ない干渉しか被らない。さらに、ＵＥ１１６、１２２は、ピア・トゥ・ビアまたはアド・ホック技術（図示せず）を使用して、互いにダイレクトに通信しうる。
【００２６】
例によれば、システム１００は、複数入力複数出力（ＭＩＭＯ）通信システムでありうる。さらに、システム１００は、例えばＦＤＤ、ＦＤＭ、ＴＤＤ、ＴＤＭ、ＣＤＭ等のような通信チャンネル（例えば、ダウンリンク、アップリンク）を分割するために実質的に任意のタイプのデュプレクス技術を利用しうる。さらに、通信チャンネルは、チャネルによって複数のデバイスまたはＵＥとの同時通信を可能にするために直交化されうる。この観点において、一例としてＯＦＤＭが利用されうる。したがって、チャネルは、期間にわたる周波数の部分に分割されうる。さらに、フレームは、期間の集合にわたる周波数の部分として定義され、例えば、フレームは、多くのＯＦＤＭシンボルを含みうる。ｅＮＢ１０２は、さまざまなタイプのデータのために生成されうるチャネルによってＵＥ１１６、１２２へ通信しうる。例えば、チャネルは、様々なタイプの一般的な通信データ、制御データ（例えば、他のチャネルのための品質情報、チャネルを介して受信されたデータのためのアクノレッジメント・インジケータ、干渉情報、基準信号等）等を通信するために生成されうる。
【００２７】
一例において、ｅＮＢ１０２はマクロ・セルｅＮＢでありえる。そして、フェムト・セルｅＮＢ、ピコ・セルｅＮＢ、中継ノード等のような小規模なｅＮＢ１２８が提供される。一例において、この小規模なｅＮＢ１２８は、ｅＮＢ１０２のものと類似した技術を使用して、ＵＥと通信しうる。例えば、小規模なｅＮＢ１２８は、ラジオ通信によるチャネルと同様に定義することができ、アップリンク１３４による受信を行いながら、ダウンリンク１３２によって例えばＵＥ１３０のような１または複数のＵＥへ送信しうる。例えば、ＵＥ１３０は、小規模なｅＮＢ１２８の獲得を試みる際に、ｅＮＢ１０２によってもたらされた干渉を受ける場合がある。あるいは、ＵＥ１１６および／またはＵＥ１２２は、ｅＮＢ１０２を経由してサービスの獲得を試みている間、小規模なｅＮＢ１２８からの干渉を受ける場合がある。例えば、ｅＮＢ１０２からの信号よりも、小規模なｅＮＢ１２８からの信号の方が、ＵＥ１１６および／またはＵＥ１２２に対してはるかに強く見えるように、小規模なｅＮＢ１２８は、ＵＥ１１６および／またはＵＥ１２２に対して近接している場合がある。ＵＥ１１６、１２２は、この小規模なｅＮＢ１２８を検出し（例えば、スクランブリング符号を検出し）、小規模なｅＮＢ１２８によって送信された信号の推定値を生成しうる。この推定された信号は、ｅＮＢ１０２による検出を容易にするために、受信合計信号から引き去られうる。
【００２８】
図２に示すように、多くのＵＥをサポートするように構成された無線通信システム２００が例示される。このシステム２００は、例えばマクロ・セル２０２Ａ−２０２Ｇのような複数のセルのための通信を提供する。ここで、おのおののセルは、対応するｅＮＢ２０４Ａ−２０４Ｇによってサービス提供される。例えば前述したように、マクロ・セル２０２Ａ−２０２Ｇに関連するｅＮＢｓ２０４Ａ−２０４Ｇは、基地局またはその他のアクセス・ポイントでありうる。ＵＥ２０６Ａ−２０６Ｉは、無線通信システム２００の全体にわたる様々な位置に分散して示される。説明したように、ＵＥ２０６Ａ−２０６Ｉのおのおのは、ダウンリンクおよび／またはアップリンクによって、１または複数のｅＮＢ２０４Ａ−２０４Ｇと通信しうる。さらに、ｅＮＢｓ２０８Ａ−２０８Ｃも示されている。これらは、例えば、フェムト・セルｅＮＢ、ピコ・セルｅＮＢ、中継ノード、モバイル基地局等のような小規模なｅＮＢｓであり、説明したように、特定のサービス位置に関連するサービスを提供する。ＵＥ２０６Ａ−２０６Ｉは、さらにあるいはその代わりに、提供されたサービスを受信するために、これら小規模なｅＮＢ２０８Ａ−２０８Ｃと通信しうる。無線通信システム２００は、一例において、大規模な地理的領域にわたってサービスを提供しうる（例えば、マクロ・セル２０２Ａ−２０２Ｇが、近隣の数ブロックをカバーし、小規模なｅＮＢｓ２０８Ａ−２０８Ｃが、例えば住宅、オフィス・ビル等説明したような領域に存在しうる。）。一例として、ＵＥ２０６Ａ−２０６Ｉは、エアによって、および／または、バックホール接続によって、ｅＮＢ２０４Ａ−２０４Ｇおよび／または２０８Ａ−２０８Ｃとの接続を確立しうる。
【００２９】
図３に移って、さまざまな態様にしたがって、干渉するセルの存在下における基地局（例えば、ｅノードＢ、ｅＮＢ）の獲得を容易にする無線通信システム３００が例示されている。図３が例示しているように、システム３００は、１または複数のイボルブド・ノードＢ（ｅＮＢ）３２０および／または３３０と通信しうる１または複数のユーザ機器ユニット（ＵＥ）３１０を含みうる。図３には、１つのＵＥ３１０および２つのｅＮＢｓ３２０、３３０だけしか例示されていないが、システム３００は、任意の数のＵＥ３１０および／またはｅＮＢ３２０、３３０を含みうることが認識されるべきである。さらに、システム３００内のそれぞれのｅＮＢが、例えばマクロ・セル、フェムト・セル（例えば、アクセス・ポイント基地局またはホーム・ノードＢ（ＨＮＢ））に関連付けられた領域であるか、および／または、その他任意の適切なタイプの有効通信範囲領域のような任意の適切な有効通信範囲領域にサービス提供しうる。
【００３０】
１つの態様によれば、ＵＥ３１０は、ＵＥ３１０のためのサービス提供ｅＮＢ（例えば、ｅＮＢ３２０）として指定されているｅＮＢと通信しうる。例えば、ＵＥ３１０は、ｅＮＢ３２０への１または複数のアップリンク（ＵＬ、逆方向リンク（ＲＬ）とも称される）通信を行い、ｅＮＢは、ＵＥ３１０への１または複数のダウンリンク（ＤＬ、順方向リンク（ＦＬ）とも称される）通信を行う。システム３００によって図示された例では、ＵＥ３１０とｅＮＢ３２０との間の通信は、実線を用いて示される。一例では、ＵＥ３１０とｅＮＢ３２０との間のアップリンク通信および／またはダウンリンク通信はさらに、例えばｅＮＢ３３０のような近くのｅＮＢに対して干渉をもたらす。例えば、システム３００内の複数のｅＮＢの有効通信範囲領域がオーバラップする場合、複数のｅＮＢの有効通信範囲間のオーバラップする領域に位置するＵＥは、ＵＥの範囲内の１または複数のｅＮＢに対する干渉をもたらし、これによって、ＵＥは、さまざまな環境において通信することができなくなる。これは、例えば、ＵＥがフェムト・セルの有効通信範囲領域内に位置する場合、フェムト・セルを含むシステム内で生じる。フェムト・セルは、マクロ・セルの有効通信範囲領域に組み込まれている。
【００３１】
１つの態様によれば、通信する距離が長くなると、一般に、信号強度は減少するので、ＵＥ３１０は、さまざまな環境において、ＵＥ３１０から遠く離れて位置するｅＮＢ３２０および／またはｅＮＢ３３０と比べて、ＵＥ３１０に物理的に近くに位置するｅＮＢ３２０および／またはｅＮＢ３３０と、実質的に強い信号を交換する。しかしながら、さまざまな要因によって、ＵＥ３１０は、システム３００内での通信のために、ＵＥ３１０に対して最も近くにあるｅＮＢ３２０および／またはｅＮＢ３３０以外のｅＮＢ３２０および／またはｅＮＢ３３０を選択しうる。例えば、それぞれのｅＮＢｓの能力の違いの結果として、ＵＥに最も近いｅＮＢは、所望のサービスを提供することができないか、あるいは、遠くに位置するｅＮＢよりも低い品質のサービスしか提供できないかもしれない。ｅＮＢの能力のそのような違いは、例えば、異なる送信電力レベル、バックホール実装、利用されるアンテナの数、デュプレクス能力（例えば、ハーフ・デュプレクス対フル・デュプレクス）等から生じうる。他の例として、ＵＥに最も近いｅＮＢは、制限されたアクセスしか持っておらず（例えば、ｅＮＢは、制限された関連ネットワークにしか対応しておらず）、ＵＥは、このｅＮＢに接続することが許可されていない。
【００３２】
一例において、ＵＥ３１０は、ｅＮＢ３２０の獲得を試みるが、ｅＮＢ３３０から高レベルの干渉を受けるかもしれない。例えば、ｅＮＢ３３０は、一般に、通信ネットワーク内で低い電力のアクセス・ポイント基地局であるフェムト・セルに関連付けられているかもしれない。クローズされた加入者グループ（ＣＳＧ）のメンバではない加入者（例えばＵＥ３１０）がｅＮＢ３３０を経由して通信ネットワークに接続することが許可されないように、ｅＮＢ３３０は、ＣＳＧを含みうる。別の例において、ｅＮＢ３３０が、ｅＮＢ３２０と同じキャリア周波数を用いて送信する結果、干渉が生じる。この干渉は、ＵＥ３１０がｅＮＢ３２０から信号を受信する能力を奪いうる。ある場合には、この干渉は、ｅＮＢ３２０の検出および獲得を阻止するレベルに達しうる。例えば、ＵＥ３１０は、ｅＮＢ３３０に近接しているものの、関連するＣＳＧのメンバではないことがありうる。ＵＥ３１０がｅＮＢ３３０のＣＳＧのメンバである場合、同様の干渉がｅＮＢ３２０によって引き起こされる場合があることが認識されるべきである。
【００３３】
態様によれば、ｅＮＢ３２０と同じキャリア周波数を利用するｅＮＢ３３０が存在することによって干渉が生じる場合であっても、ＵＥ３１０は、ｅＮＢ３２０へのアクセスを試みている場合、適切に機能するように構成されうる。例えば、ＵＥ３１０は、干渉キャンセル技術を適用しうる。ＵＥ３１０は、ｅＮＢ３３０によって送信された信号を識別する検出モジュール３１２を含みうる。例えば、ｅＮＢ３３０は、ＵＥ３１０に近接しているフェムト・セルまたはマクロ・セルであり、ｅＮＢ３２０の獲得と干渉しうる。ＵＥ３１０は、検出されるとｅＮＢ３３０によって送信された信号の推定を生成する推定モジュール３１４を含む。例えば、推定モジュール３１４は、ｅＮＢ３３０によって送信された信号と同様の信号を再生成するために、ｅＮＢ３３０から受信した信号を符号化および変調しうる。ＵＥ３１０は、推定した信号を、受信合計信号から引き去る、すなわち、キャンセルする。これによって、クリーンな信号を生成するキャンセル・モジュール３１６を利用しうる。信号のキャンセルの後、ＵＥ３１０は、ｅＮＢ３２０の検出を試みうる。一例において、ＵＥ３１０は、ｅＮＢ３２０によって送信された基準信号、パイロット、および／または、同期を求めて探索しうる。さらに、ＵＥ３１０は、ブロードキャスト・チャネル、または、システム獲得に含まれるｅＮＢ３２０のその他のチャネルを復調しうる。
【００３４】
システム３００においてさらに例示されるように、ＵＥ３１０は、プロセッサ３１７および／またはメモリ３１８を含みうる。これらは、検出モジュール３１２、推定モジュール３１４、キャンセル・モジュール３１６、および／または、ＵＥ３１０のその他任意の構成要素の機能のうちのいくつかまたはすべてを実現するために利用されうる。同様に、図３は、ｅＮＢ３２０の機能のうちのいくつかまたはすべてを実現するプロセッサ３２２および／またはメモリ３２４を含みうるｅＮＢ３２０を例示する。図３には、ｅＮＢ３２０のみがプロセッサ３２２とメモリ３２４を含んでいるように示されているが、ｅＮＢ３３０がさらに、あるいは、別の方式で、同様にプロセッサおよび／またはメモリを実装しうることが認識されるべきである。
【００３５】
図４に示すように、さまざまな態様にしたがって、基地局の獲得を可能にするために、受信信号から干渉を除去することを容易にするシステム４００が例示されている。システム４００は、所望のセルの獲得を阻止する干渉を低減する信号キャンセル・メカニズムを利用するＵＥ３１０を含む。ＵＥ３１０は、（例えばｅノードＢ、ホーム・ノードＢ等のような）複数の基地局によって送信された信号を含む合計信号を取得する受信モジュール４０２を含みうる。基地局は、マクロ・セル、フェムト・セル、ピコ・セル等に関連付けられうる。一例において、ＵＥ３１０は、ＵＥ３１０が各加入者グループのメンバではないフェムト・セルに関連付けられた基地局に近接して位置しているマクロ・セルに関連付けられた基地局の獲得を試みる。したがって、ＵＥ３１０によって取得された合計信号は、フェムト・セルからの干渉を含み、これが、マクロ・セルの獲得を阻止する。別の例において、ＵＥ３１０は、フェムト・セルへのアクセスを所望するものの、マクロ・セルからの干渉を受ける。
【００３６】
受信モジュール４０２は、複数の基地局からの信号の受信を容易にするために、例えば、プロセッサ、アンテナ、復調器、デコーダ等のような構成要素および／またはデバイスを含みうる。受信合計信号は、（例えば、所望のセルに関連付けられていない基地局のような）干渉する基地局からの信号を検出する検出モジュール３１２へ提供されうる。一例では、検出モジュール３１２は、基地局の存在を検出するために、受信合計信号を分析しうる。検出された基地局が、所望のセルに関連付けられている場合、ＵＥ３１０はシステム獲得を続けることができる。しかしながら、所望されないセル（例えば、ＵＥ３１０が許可されないフェムト・セル、あるいはフェムト・セルと干渉しているマクロ・セル）は、所望のセルの検出を阻止する干渉を生成しうる。検出された基地局が、所望されないセルに関連付けられている場合、ＵＥ３１０は、干渉キャンセルを実行する。
【００３７】
ＵＥ３１０は、所望されないセルによって送信された信号と同様の推定信号すなわち近似信号を生成または再構築する推定モジュール３１４を含む。例えば、検出モジュール３１２は、所望されないセルによって適用されるスクランブリング符号を識別または発見しうる。推定モジュール３１４は、所望されないセルによって送信された信号の近似値を生成するためにスクランブリング符号を利用しうる。再構築された信号は、キャンセル・モジュール３１６へ提供されうる。キャンセル・モジュール３１６は、再構築された信号を、適切なスケーリングの後、受信合計から引き去り、引き去られた信号を生成する。これは、所望されないセルからの干渉をわずかしか含んでいない。キャンセル・モジュール３１６によって生成された引き去られた信号は、所望のセルを求める探索のためにＵＥ３１０によって利用されうる。例えば、ＵＥ３１０は、同期（例えば、プライマリおよび／またはセカンダリ同期信号）信号、パイロット信号、および／または、所望されるセルによって送信された基準信号を識別する獲得モジュール４０４を適用しうる。適切な信号が識別されると、獲得モジュール４０４は、所望のセルとの同期を行い、ブロードキャスト・チャネルおよび／またはシステム獲得に関連付けられたその他のチャネルの受信および復調を行いうる。
【００３８】
図５に移って、干渉する基地局のキャンセルを容易にするシステム５００が例示される。図５に関して、本明細書に記載されたキャンセル技術を利用するネットワーク構成の例としてシステム５００が提供されており、特許請求の範囲は、そのようなネットワーク構成に限定されないことが認識されるべきである。
【００３９】
図５が例示するように、システム５００は、関連付けられた有効通信範囲領域５０２を有するフェムト・セル５１０と、大きな有効通信範囲領域５０４に関連付けられたマクロ・セル５２０とを含みうる。一例において、フェムト・セル５１０の有効通信範囲領域５０２は、フェムト・セル５１０の有効通信範囲領域５０２がマクロ・セル５２０の有効通信範囲領域５０４内に全体的に含まれるように、マクロ・セル５２０の有効通信範囲領域５０４内に組み込まれうる。例えば、フェムト・セル５１０は、ユーザの住宅および／または類似の領域のための通信有効範囲を提供し、マクロ・セル５２０は、フェムト・セル５１０に関連付けられた住宅を含む住宅グループのための有効通信範囲を提供する。しかしながら、本明細書に記載された技術は、フェムト・セル５１０の有効通信範囲領域５０２が、マクロ・セル５２０の有効通信範囲領域５０４内に全体的に位置している必要は無く、しかも、本明細書に記載される技術は、複数のセルがある程度のオーバラップを有する場合に、所望のセルの獲得を容易にするために利用されうることが認識されるべきである。
【００４０】
１つの態様によれば、フェムト・セル５１０は、フェムト・セル５１０に関連付けられたクローズド加入者グループ（ＣＳＧ）内のＵＥのみが、フェムト・セル５１０にアクセスすることが許可されるように、制限されたアクセス・ネットワークでありうる。アクセス制御は、例えばアクセス制約モジュール５１２によって、および／または、フェムト・セル５１０に関連付けられたその他任意の適切な構成要素によって、フェムト・セル５１０において実行されうる。したがって、フェムト・セル５１０内の有効通信範囲領域内の所与のＵＥ３１０が、フェムト・セル５１０にアクセスすることが許可されていない場合、ＵＥ３１０は、代わりに、ＵＥ３１０が位置する領域のために有効通信範囲を提供するマクロ・セル５２０にアクセスすることが必要とされる。そのような例において、ＵＥ３１０は、フェムト・セル５１０の近くに存在しうるので、マクロ・セル５２０は、検出および／または獲得が困難になる。
【００４１】
したがって、ＵＥ３１０は、フェムト・セル５１０によって生成された干渉に対する干渉キャンセルを実行するために、検出モジュール３１２、推定モジュール３１４、キャンセル・モジュール３１６、および／または、その他任意の適切な機能を利用しうる。例えば、ＵＥ３１０は、マクロ・セル５２０の検出を容易にするために、フェムト・セル５１０を検出し、フェムト・セル５１０によって送信された信号を再構築し、再構築された信号を、受信合計信号から引き去る。検出モジュール３１２、推定モジュール３１４、およびキャンセル・モジュール３１６は、前述した図面を参照して説明された類似の指定されたモジュールのような同様の機能であるか、および／または、同様の機能を実行することが認識されるべきである。
【００４２】
別の態様によれば、そのような干渉キャンセル技術は、フェムト・セル５１０の獲得中に、マクロ・セル５２０からの信号を抑制するために適用されうることが認識されるべきである。例えば、ＵＥ３１０は、フェムト・セル５１０のＣＳＧ内に存在しうるが、フェムト・セル５１０の検出および獲得が阻止されるほど十分にマクロ・セル５２０に近接している。説明したように、ＵＥ３１０は、フェムト・セル５１０の検出および獲得が可能になる程度にマクロ・セル５２０の信号を抑制するために、検出モジュール３１２、推定モジュール３１４、およびキャンセル・モジュール３１６を適用しうる。
【００４３】
別の態様では、ＵＥ３１０は、複数のフェムト・セル（図示せず）によって取り囲まれうる。したがって、ＵＥ３１０は、マクロ・セル５２０の検出および獲得が可能になるまで、受信合計信号を継続的に改善するために、信号の検出、推定、およびキャンセルを複数回数反復しうる。例えば、ＵＥ３１０は、第１のセルを検出し、この第１のセルの信号の推定および抑制を行いうる。その後、ＵＥ３１０は、第２のセルを検出し、それぞれの信号の推定および抑制を行いうる。ＵＥ３１０は、所望されないすべてのセルが検出されキャンセルされるまで、この処理を繰り返す。
【００４４】
図６乃至７を参照して、システム獲得中に、所望されないセルからの干渉のキャンセルに関連する方法が記載される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００４５】
図６に移って、さまざまな態様にしたがって、干渉の存在下におけるセルの獲得を容易にする方法６００が例示される。方法６００は、例えば、検出された所望されないセルまたは基地局から受信した信号を引き去るモバイル・デバイス（例えば、ユーザ機器（ＵＥ））によって適用されうる。参照番号６０２では、信号が受信されうる。この信号は、所望のセル（例えば、ｅノードＢ、ホーム・ノードＢ等）の同期信号、パイロット信号、および／または基準信号であり、所望されないセルの類似する信号からの高レベルの干渉を伴う。例えば、所望されないセルは、マクロ・セルラＵＥに近接したフェムト・セルでありうる。特に、フェムト・セルは、マクロ・セルラＵＥが、クローズされたそれぞれの加入者グループのメンバではなく、もって、フェムト・セルを介して通信ネットワークにアクセスできないセルである。所望されないセルは、所望のセルからの信号に関して、高レベルの干渉を生成しうるので、ＵＥは、所望されないセルを介して所望のセルを検出することができない。
【００４６】
参照番号６０４では、所望されないセルからの干渉がキャンセルされ、改善された信号が生成される。一例において、所望されないセルからの送信の近似値または信号推定値が構築されうる。この近似値は、スケールされ、受信信号から引き去られうる。参照番号６０６では、この改善された信号が適用され、所望のセルの検出および獲得がなされる。
【００４７】
図７に示すように、さまざまな態様にしたがって、所望されない強いセルからの信号のキャンセルを容易にする方法７００が例示される。方法７００は、参照番号７０２で始まり、少なくとも２つのセルから信号が受信される。一例では、少なくとも２つのセルは、所望されないフェムト・セルと、所望されるマクロ・セルとを含みうる。他の例では、少なくとも２つのセルは、所望されないマクロ・セルと、所望されるフェムト・セルとを含みうる。参照番号７０４では、受信信号強度の観点から最強のセルが、所望のセルであるかが判定される。最強のセルは、近さ、および／または、セルによって適用される送信電力に基づいて確認されうる。例えば、ＵＥに近接した最低電力のセルが、ＵＥに対して最強のセルとして見える。最強のセル（例えば、受信信号に基づいて容易に検出されうるセル）が、所望のセルである場合、方法７００は、参照番号７０６に進み、最強のセルにおいてサービスが獲得される。参照番号７０４では、最強のセルが所望されないセルであると判定されると、方法７００は、参照番号７０８に進み、最強のセルからの信号が推定される。一例では、最強のセルに関連付けられたスクランブリング符号が検出される。そして、信号近似値を生成するために利用されうる。参照番号７１０では、推定された信号が、受信信号から引き去られうる。参照番号７１２では、引き去られた信号が、所望のセルを獲得するために利用される。
【００４８】
本明細書に記載された１または複数の態様によれば、（例えば、基地局、ｅＮＢ、ＨＮＢ等のような）セルの検出、信号近似値の生成、引き去られた信号におけるセルの検出等に関連する推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００４９】
図８を参照して、態様にしたがって、干渉キャンセルを可能にするシステム８００が例示される。例えば、システム８００は、ユーザ機器ユニット内に少なくとも部分的に存在しうる。システム８００は、プロセッサ、ソフトウェア、またはそれらの組み合わせ（例えば、ファームウェア）によって実現される機能を表す機能ブロックでありうる機能ブロックを含むものとして示されることが認識されるべきである。システム８００は、連携して動作しうる電子構成要素の論理グループ８０２を含む。例えば、論理グループ８０２は、無線通信ネットワークにおいて、所望されないセルを検出するための電子構成要素８０４を含みうる。さらに、論理グループ８０２は、所望されないセルによって送信された信号を推定するための電子構成要素８０６を備えうる。さらに、論理グループ８０２は、推定された信号を、受信合計信号から引き去るための電子構成要素８０８を備えうる。論理グループ８０２はまた、無線通信ネットワークにおいて、所望のセルを獲得するための電子構成要素８１０をも含みうる。さらに、システム８００は、電子構成要素８０４、８０６、８０８、８１０に関連付けられた機能を実行するための命令群を保持するメモリ８１２を含みうる。メモリ８１２の外側にあること示されているが、電子構成要素８０４、８０６、８０８、８１０の１または複数は、メモリ８１２内に存在しうることが理解されるべきである。
【００５０】
図９は、本明細書に記載された機能のさまざまな態様を実現するために利用されうる別のシステム９００のブロック図である。一例では、システム９００は、モバイル・デバイス９０２を含んでいる。図示されるように、モバイル・デバイス９０２は、１または複数の基地局９０４から信号を受信し、１または複数のアンテナ９０８によって１または複数の基地局９０４へ送信しうる。それに加えて、モバイル・デバイス９０２は、アンテナ９０８から情報を受け取る受信機９１０を備えうる。一例において、受信機９１０は、受信した情報を復調する復調器（Ｄｅｍｏｄ）９１２と動作可能に関連付けられうる。その後、復調されたシンボルは、プロセッサ９１４によって分析されうる。プロセッサ９１４は、モバイル・デバイス９０２に関連するデータおよび／またはプログラム・コードを格納しうるメモリ９１６に接続されうる。モバイル・デバイス９０２はまた、送信機９２０によるアンテナ９０８を介した送信のために信号を多重化する変調器９１８を含みうる。
【００５１】
図１０は、本明細書に記載された機能のさまざまな態様を実現するために利用されうるシステム１０００のブロック図である。一例では、システム１０００は、基地局すなわち基地局１００２を含んでいる。図示されるように、基地局１００２は、１または複数のＵＥ１００４からの信号を、１または複数の受信（Ｒｘ）アンテナ１００６から受信し、１または複数の送信（Ｔｘ）アンテナ１００８を介して１または複数のＵＥ１００４へ送信しうる。それに加えて、基地局１００２は、受信アンテナ１００６から情報を受信する受信機１０１０を備えうる。一例において、受信機１０１０は、受信した情報を復調する復調器（Ｄｅｍｏｄ）１０１２と動作可能に関連付けられうる。復調されたシンボルは、その後、プロセッサ１０１４によって分析されうる。プロセッサ１０１４は、符号クラスタ、アクセス端末割当、これらに関連するルックアップ・テーブル、ユニークなスクランブリング・シーケンスに関連する情報、および／または、その他の適切なタイプの情報を格納しうるメモリ１０１６に接続されうる。一例において、基地局１００２は、方法７００および／またはその他の類似かつ適切な方法を実行するためのプロセッサ１０１４を適用しうる。基地局１００２はまた、送信機１０２０による送信アンテナ１００８を介した送信のために、信号を多重化しうる変調器１０１８を含みうる。
【００５２】
図１１は、無線通信システム１１００の例を示す。無線通信システム１１００は、簡潔さの目的で、１つの基地局１１１０と１つのモバイル・デバイス１１５０とを示している。しかしながら、システム１１００は、１より多い基地局、および／または、１より多いモバイル・デバイスを含むことができ、これら追加の基地局および／またはモバイル・デバイスは、以下に説明する基地局１１１０およびモバイル・デバイス１１５０の例と実質的に同じでも、別のものでもありうることが認識されるべきである。それに加えて、基地局１１１０および／またはモバイル・デバイス１１５０は、その間の無線通信を容易にするために、本明細書に記載されたシステム（図１，２、３、４、５、および８乃至１０）および／または方法（図６乃至７）を適用しうることが認識されるべきである。
【００５３】
基地局１１１０では、多くのデータ・ストリームのためのトラフィック・データが、データ・ソース１１１２から送信（ＴＸ）データ・プロセッサ１１１４へ提供される。一例によれば、おのおののデータ・ストリームが、それぞれのアンテナを介して送信される。ＴＸデータ・プロセッサ１１１４は、トラフィック・データ・ストリームをフォーマットし、このデータ・ストリームのために選択された特定の符合化スキームに基づいて符号化し、インタリーブして、符合化されたデータを提供する。
【００５４】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１１５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１１３０によって実行または提供される指示によって決定されうる。
【００５５】
データ・ストリームの変調シンボルは、（例えば、ＯＦＤＭのために）変調シンボルを処理するＴＸ  ＭＩＭＯプロセッサ１１２０に提供される。ＴＸ  ＭＩＭＯプロセッサ１１２０は、その後、ＮＴ個の変調シンボル・ストリームを、ＮＴ個送信機（ＴＭＴＲ）１１２２ａ乃至１１２２ｔへ提供する。さまざまな実施形態において、ＴＸ  ＭＩＭＯプロセッサ１１２０は、データ・ストリームのシンボル、および、そのシンボルが送信されるアンテナへ、ビームフォーミング重みを適用する。
【００５６】
おのおのの送信機１１２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１１２２ａ乃至１１２２ｔからのＮＴ個の変調信号が、ＮＴ個のアンテナ１１２４ａ乃至１１２４ｔから送信される。
【００５７】
モバイル・デバイス１１５０では、送信された変調信号が、ＮＲ個のアンテナ１１５２ａ乃至１１５２ｒによって受信され、各アンテナ１１５２から受信された信号が、それぞれの受信機（ＲＣＶＲ）１１５４ａ乃至１１５４ｒへと提供される。おのおのの受信機１１５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００５８】
ＲＸデータ・プロセッサ１１６０は、ＮＲ個の受信機１１５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１１６０は、検出されたおのおののシンボル・ストリームを復調し、デインタリーブし、復号して、そのデータ・ストリームのためのトラフィック・データを復元する。ＲＸデータ・プロセッサ１１６０による処理は、基地局１１１０におけるＴＸ  ＭＩＭＯプロセッサ１１２０およびＴＸデータ・プロセッサ１１１４によって実行されるものと相補的である。
【００５９】
プロセッサ１１７０は、前述したように、どの事前符号化行列を利用すべきかを定期的に確認しうる。さらに、プロセッサ１１７０は、行列インデクス部およびランク値部を備えた逆方向リンク・メッセージを規定することができる。
【００６０】
逆方向リンク・メッセージは、通信リンクおよび／または受信されたデータ・ストリームに関するさまざまなタイプの情報を備えうる。逆方向リンク・メッセージは、データ・ソース１１３６から多くのデータ・ストリームのトラフィック・データをも受け取るＴＸデータ・プロセッサ１１３８によって処理され、変調器１１８０によって変調され、送信機１１５４ａ乃至１１５４ｒによって調整され、基地局１１１０へと送り返される。
【００６１】
基地局１１１０では、モバイル・デバイス１１５０からの変調信号が、アンテナ１１２４によって受信され、受信機１１２２によって調整され、復調器１１４０によって復調され、ＲＸデータ・プロセッサ１１４２によって処理されることにより、モバイル・デバイス１１５０によって送信された逆方向リンク・メッセージが抽出される。さらに、プロセッサ１１３０は、ビームフォーミング重みを決定するためにどの事前符合化行列を使用するかを決定するために、この抽出されたメッセージを処理する。
【００６２】
プロセッサ１１３０およびプロセッサ１１７０は、基地局１１１０およびモバイル・デバイス１１５０それぞれにおける動作を指示（例えば、制御、調整、管理等）する。プロセッサ１１３０およびプロセッサ１１７０はそれぞれ、プログラム・コードおよびデータを格納するメモリ１１３２およびメモリ１１７２に関連付けられうる。プロセッサ１１３０およびプロセッサ１１７０はまた、アップリンクおよびダウンリンクそれぞれのための周波数およびインパルス応答推定値を導出する計算をも実行する。
【００６３】
図１２は、ネットワーク環境内のアクセス・ポイント基地局の配置を可能にする通信システム１２００を例示する。図１２に示すように、システム１２００は、例えばＨＮＢ１２１０のような複数のアクセス・ポイント基地局（例えば、フェムト・セルあるいはホーム・ノードＢユニット（ＨＮＢ））を含みうる。一例において、それぞれのＨＮＢ１２１０は、例えば、１または複数のユーザ住宅１２３０のような対応する小規模なネットワーク環境に配置されうる。さらに、それぞれのＨＮＢ１２１０は、関連付けられたおよび／または外部のＵＥ１２２０にサービス提供するように構成されうる。１つの態様によれば、それぞれのＨＮＢ１２１０は、ＤＳＬルータ、ケーブル・モデム、および／または、他の適切なデバイス（図示せず）を経由してインターネット１２４０およびモバイル・オペレータ・コア・ネットワーク１２５０に接続されうる。１つの態様によれば、フェムト・セルまたはＨＮＢ１２１０の所有者は、モバイル・オペレータ・コア・ネットワーク１２５０によって提供される例えば３Ｇ／４Ｇモバイル・サービスのようなモバイル・サービスに加入しうる。したがって、ＵＥ１２２０は、マクロ・セルラ環境１２６０と、住宅の小規模ネットワーク環境との両方で動作することが可能とされうる。
【００６４】
一例において、ＵＥ１２２０は、マクロ・セル・モバイル・ネットワーク１２６０に加えて、フェムト・セルまたはＨＮＢ１２１０（例えば、対応するユーザ住宅１２３０内に存在するＨＮＢ１２１０）のセットによってサービス提供されうる。本明細書で使用され、当該技術分野で一般的であるように、ホーム・フェムト・セルは、ＡＴまたはＵＥが動作することが許可されている基地局であり、ゲスト・フェムト・セルは、ＡＴまたはＵＥが一時的に動作することが許可されている基地局を称し、外部のフェムト・セルは、ＡＴまたはＵＥが動作することが許可されていない基地局である。１つの態様によれば、フェムト・セルあるいはＨＮＢ１２１０は、それぞれのマクロ・セル周波数とオーバラップしうる単一の周波数または複数の周波数に設定されうる。
【００６５】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００６６】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００６７】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００６８】
上述したものは、１または複数の実施形態のうちの一例を含む。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
以下に、出願当初の特許請求の範囲に記載された発明を付記する。
［発明１］
システム獲得中に干渉キャンセルを適用することを容易にする方法であって、
無線通信ネットワークにおける少なくとも１つの所望されないセルを検出することと、
前記少なくとも１つの所望されないセルによって送信された信号を推定することと、
前記推定された信号を、受信合計信号から引き去ることによって、クリーンな信号を生成することと、
前記クリーンな信号を用いて、前記無線通信ネットワークにおける所望のセルを獲得することと
を備える方法。
［発明２］
前記少なくとも１つの所望されないセルおよびか所望のセルらの送信を含む合計信号を受信することをさらに備える発明１に記載の方法。
［発明３］
前記少なくとも１つの所望されないセルは、フェムト・セルである発明１に記載の方法。
［発明４］
前記少なくとも１つの所望されないセルは、マクロ・セルである発明１に記載の方法。
［発明５］
前記少なくとも１つの所望されないセルを検出することは、前記少なくとも１つの所望されないセルによって利用されるスクランブリング符号を発見することを備える発明１に記載の方法。
［発明６］
前記信号を推定することは、前記少なくとも１つの所望されないセルのスクランブリング符号を適用して、前記信号を再構築することを備える発明５に記載の方法。
［発明７］
前記所望のセルを獲得することは、同期信号、パイロット信号、または基準信号のうち少なくとも１つを求めて探索することを備える発明１に記載の方法。
［発明８］
干渉する基地局によって送信された信号を識別する検出モジュールと、
前記干渉する基地局によって送信された信号の近似値を生成する推定モジュールと、
前記信号の近似値を、受信合計信号から引き去るキャンセル・モジュールと
を備える装置。
［発明９］
前記干渉する基地局は、前記装置が、関連するクローズされた加入者グループのメンバでないフェムト・セルである発明８に記載の装置。
［発明１０］
前記干渉する基地局はマクロ・セルである発明８に記載の装置。
［発明１１］
前記検出モジュールは、前記干渉する基地局のスクランブリング符号を識別する発明８に記載の装置。
［発明１２］
前記推定モジュールは、前記スクランブリング符号を適用して、前記信号の近似値を生成する発明１１に記載の装置。
［発明１３］
所望のセルからのサービスを獲得する獲得構成要素をさらに備え、
前記獲得構成要素は、サービスを獲得するために、改善された信号を利用し、前記改善された信号は、前記キャンセル・モジュールによって、前記信号の近似値が引き去られた受信合計信号である発明８に記載の装置。
［発明１４］
前記獲得構成要素は、前記所望の基地局の基準信号、パイロット信号、または同期信号のうちの少なくとも１つを識別する発明１３に記載の装置。
［発明１５］
前記獲得構成要素は、前記所望の基地局のブロードキャスト・チャネルを受信し復調する発明１３に記載の装置。
［発明１６］
干渉キャンセルを容易にする無線通信装置であって、
無線通信ネットワークにおける少なくとも１つの所望されないセルを検出する手段と、
前記少なくとも１つの所望されないセルによって送信された信号を推定する手段と、
前記推定された信号を、受信合計信号から引き去ることによって、クリーンな信号を生成する手段と、
前記クリーンな信号を用いて、前記無線通信ネットワークにおける所望のセルを獲得する手段と
を備える無線通信装置。
［発明１７］
前記少なくとも１つの所望されないセルおよび所望のセルからの送信を含む合計信号を受信する手段をさらに備える発明１６に記載の無線通信装置。
［発明１８］
前記少なくとも１つの所望されないセルは、フェムト・セルである発明１６に記載の無線通信装置。
［発明１９］
前記少なくとも１つの所望されないセルは、マクロ・セルである発明１６に記載の無線通信装置。
［発明２０］
前記少なくとも１つの所望されないセルを検出する手段は、前記少なくとも１つの所望されないセルによって利用されているスクランブリング符号を発見する手段を備える発明１６に記載の無線通信装置。
［発明２１］
前記信号を推定する手段は、前記少なくとも１つの所望されないセルのスクランブリング符号を適用して、前記信号を再構築する手段を備える発明２０に記載の無線通信装置。
［発明２２］
前記所望のセルを獲得する手段は、同期信号、パイロット信号、または基準信号のうちの少なくとも１つを求めて探索する手段を備える発明１６に記載の無線通信装置。
［発明２３］
コンピュータ読取可能媒体を備えるコンピュータ・プログラム製品であって、
前記コンピュータ読取可能媒体は、
少なくとも１つのコンピュータに対して、干渉する基地局によって送信された信号を識別させるためのコードと、
前記少なくとも１つのコンピュータに対して、前記干渉する基地局によって送信された信号の信号近似値を生成させるためのコードと、
前記少なくとも１つのコンピュータに対して、受信合計信号から、前記信号近似値をキャンセルさせるためのコードと
を備えるコンピュータ・プログラム製品。
［発明２４］
前記干渉する基地局はマクロ・セルである発明２３に記載のコンピュータ・プログラム製品。
［発明２５］
前記コンピュータ読取可能媒体はさらに、前記少なくとも１つのコンピュータに対して、前記干渉する基地局のスクランブリング符号を確認させるためのコードを備える発明２３に記載のコンピュータ・プログラム製品。
［発明２６］
前記コンピュータ読取可能媒体はさらに、前記少なくとも１つのコンピュータに対して、前記スクランブリング符号を適用して、前記信号近似値を生成させるためのコードを備える発明２５に記載のコンピュータ・プログラム製品。
［発明２７］
前記コンピュータ読取可能媒体はさらに、前記少なくとも１つのコンピュータに対して、所望の基地局からサービスを獲得させるためのコードを備える発明２３に記載のコンピュータ・プログラム製品。
［発明２８］
前記コンピュータ読取可能媒体はさらに、前記少なくとも１つのコンピュータに対して、改善された信号を用いて、サービスを獲得させるためのコードを備え、前記改善された信号は、前記信号近似値が引き去られた受信合計信号である発明２７に記載のコンピュータ・プログラム製品。
［発明２９］
前記コンピュータ読取可能媒体はさらに、前記少なくとも１つのコンピュータに対して、前記所望する基地局の基準信号、パイロット信号、または同期信号のうちの少なくとも１つを識別させるためのコードを備える発明２７に記載のコンピュータ・プログラム製品。
［発明３０］
前記コンピュータ読取可能媒体はさらに、前記少なくとも１つのコンピュータに対して、前記所望の基地局のブロードキャスト・チャネルの受信および復調をさせるためのコードを備える発明２７に記載のコンピュータ・プログラム製品。
［発明３１］
無線通信ネットワークにおける少なくとも１つの所望されないセルを検出し、
前記少なくとも１つの所望されないセルによって送信された近似信号を再構築し、
受信合計信号から、前記近似信号を引き去ることによって、クリーンな信号を生成し、
前記クリーンな信号を用いて、前記無線通信ネットワークにおける所望のセルを獲得する
ように構成されたプロセッサを備える無線通信装置。
［発明３２］
前記プロセッサはさらに、前記少なくとも１つの所望されないセルおよび所望のセルからの送信を含む合計信号を受信するように構成された発明３１に記載の無線通信装置。
［発明３３］
前記少なくとも１つの所望されないセルは、フェムト・セルである発明３１に記載の無線通信装置。
［発明３４］
前記少なくとも１つの所望されないセルは、マクロ・セルである発明３１に記載の無線通信装置。
［発明３５］
前記プロセッサはさらに、前記少なくとも１つの所望されないセルによって利用されているスクランブリング符号を発見するように構成された発明３１に記載の無線通信装置。
［発明３６］
前記プロセッサはさらに、前記少なくとも１つの所望されないセルのスクランブリング符号を適用して、前記近似信号を再構築するように構成された発明３５に記載の無線通信装置。
［発明３７］
前記プロセッサはさらに、同期信号、パイロット信号、または基準信号のうちの少なくとも１つを求めて探索するように構成された発明３１に記載の無線通信装置。
［発明３８］
前記プロセッサはさらに、引き去りを行う前に、前記近似信号をスケールするように構成された発明３１に記載の無線通信装置。
【図１】
0005781433.tif 000002
【図２】
0005781433.tif 000003
【図３】
0005781433.tif 000004
【図４】
0005781433.tif 000005
【図５】
0005781433.tif 000006
【図６】
0005781433.tif 000007
【図７】
0005781433.tif 000008
【図８】
0005781433.tif 000009
【図９】
0005781433.tif 000010
【図１０】
0005781433.tif 000011
【図１１】
0005781433.tif 000012
【図１２】
0005781433.tif 000013